(57)【要約】【課題】導電チェックを行う際の作業性を向上するとともに誤接続等の人為的ミスを少なくすることのできる導電チェッカーを得ること。【解決手段】導電チェッカーＡおよびＢは、それぞれケース１にブザー回路１２および電源回路１３側の操作ボタン１５ａないし１５ｆと、短絡回路側の操作ボタン１６ａないし１６ｆとを有しており、外部端子台１８，１９に取り付けられる。外線ケーブル１７ａ，１７ｂが接続されている外部端子台１８の端子ネジ２５ａ，２５ｂおよび外部端子台１９の端子ネジ２７ａ，２７ｂに対応する操作ボタン１６ａ，１６ｂおよび１５ａ，１５ｂを操作すると、その下方に設けられた移動子の接触子が端子ネジ２５ａ，２５ｂ，２７ａ，２７ｂおよび回路につながる接点に接触する。外部端子台１８の接点短絡された外部端子側端子ネジ２５ａ，２５ｂから外線ケーブル１７ａ，１７ｂを介して外部端子台１９の内部端子側端子ネジ２７ａ，２７ｂ、ブザー回路１２および電源回路１３に接続される通電回路が構成される。【選択図】図３
2008145120.tif 000002
【特許請求の範囲】
【請求項１】
間隔をおいて配置された第１および第２の取付部を有するケースと、
このケースの第１の取付部に移動自在に取り付けられ、かつバネにより弾性的に支持された複数個の移動子を有する第１および第２の移動子群と、
この第１および第２の移動子群の各移動子に設けられ、移動子が前記バネを圧縮する方向に移動した際に外部端子台の端子ネジに接触する接触子と、
前記第１および第２の移動子群の各移動子に対応して前記ケースの第２の取付部に設けられ、進退操作により移動子を移動させてその接触子を前記端子ネジに接離させる複数個の操作ボタンを有する第１および第２の操作ボタン群と、
前記ケースに設けられ、前記第１の移動子群の各接触子に接続された短絡回路と、
前記ケースに設けられ、前記第２の移動子群の接触子に接続された電源回路および表示回路と、
を具備してなる導電チェッカー。
【請求項２】
前記ケースを透明または半透明な材料により形成したことを特徴とする請求項１に記載の導電チェッカー。
【請求項３】
前記移動子の接触子が端子ネジと接離することにより点滅される発光素子を設けたことを特徴とする請求項１または２に記載の導電チェッカー。
【発明の詳細な説明】
【技術分野】
【０００１】
本発明は、例えば配電盤間の外線ケーブルの接続状態を確認する際に使用される導電チェッカーに関するものである。
【背景技術】
【０００２】
一般に複数台の配電盤においては外線ケーブルを介して相互間で信号の送受が行われている。この配電盤相互間のインターフェースの確認を行うために、配電盤の外部端子台に接続されている外線ケーブルの接続状態を確認する導電チェックが行われており、この際に導電チェッカーが使用されている。
【０００３】
導電チェッカーは、例えば特許文献１および特許文献２に開示されているように、電源回路やブザー、ランプ等の表示回路および端子接続用のクリップ等を備えている。
【０００４】
このような導電チェッカーを使用して外線ケーブルが間違いなく指定された外部端子台の端子ネジに正常に接続されているか否かを確認する場合には、一方の配電盤における外部端子台の外部端子側端子ネジ間をジャンパー線で接続して接点短絡させ、他方の配電盤における外部端子台の外部端子側端子ネジ間にクリップを介して導電チェッカーを接続して、その際にブザー音等の表示回路が作動するか否かを検知することにより行っていた。
【特許文献１】特開平９−３３５９３号公報
【特許文献２】特開平１１−６８４８号公報
【発明の開示】
【発明が解決しようとする課題】
【０００５】
しかしながら、上述のような方法では、外部端子台の外部端子側端子ネジにジャンパー線を接続したり、導電チェッカーのクリップを接続したりする作業が必要となり、その接続作業に時間や手間がかかるとともに誤接続等の人為的ミスを起こし易いという問題があった。
【０００６】
本発明は、上述のような従来技術の問題を解決するためになされたものであり、導電チェックを行う際の作業性を向上するとともに誤接続等の人為的ミスを少なくすることのできる導電チェッカーを得ることを目的とするものである。
【課題を解決するための手段】
【０００７】
上記目的を達成するために本発明による導電チェッカーは、間隔をおいて配置された第１および第２の取付部を有するケースと、このケースの第１の取付部に移動自在に取り付けられ、かつバネにより弾性的に支持された複数個の移動子を有する第１および第２の移動子群と、この第１および第２の移動子群の各移動子に設けられ、移動子がバネを圧縮する方向に移動した際に外部端子台の端子ネジに接触する接触子と、第１および第２の移動子群の各移動子に対応してケースの第２の取付部に設けられ、進退操作により移動子を移動させてその接触子を端子ネジに接離させる複数個の操作ボタンを有する第１および第２の操作ボタン群と、ケースに設けられ、第１の移動子群の各接触子に接続された短絡回路と、ケースに設けられ、第２の移動子群の接触子に接続された電源回路および表示回路と、
を具備してなることを特徴とする。
【発明の効果】
【０００８】
本発明によれば、外線ケーブルが接続された外部端子台に導電チェッカーを取り付け、この導電チェッカーの操作ボタンを操作して短絡回路、外線ケーブル、表示回路および電源回路を含む通電回路を構成することにより、外線ケーブルが間違いなく指定された外部端子台に正常に接続されているか否かを確認することができる。したがってジャンパー線やクリップ等の接続作業を伴わないので、導電チェックを行う際の作業性を向上することができるとともに誤接続等の人為的ミスを少なくすることができる。
【発明を実施するための最良の形態】
【０００９】
以下、本発明に係る導電チェッカーの実施の形態について図面を参照して説明する。図１（ａ）および（ｂ）は、本発明に係る導電チェッカーの一実施の形態を示す平面図であり、そのうち図１（ａ）は一方の外部端子台に取り付けられる導電チェッカーを示す平面図、図１（ｂ）は他方の外部端子台に取り付けられる導電チェッカーを示す平面図である。図２は図１（ａ）のＡ−Ａ線に沿って断面し矢印の方向に見た断面図である。図１および図２において、導電チェッカーＡ，Ｂは、透明または半透明のプラスチック材料により形成されたケース１を有している。このケース１の平板部には、間隔をおいて配置された第１および第２の取付部１ａ，１ｂが設けられている。ケース１の第１の取付部１ａには、その幅方向両側に、後述する外部端子台に取り付ける際に外部端子台を挟む複数個の脚部２ａ，２ｂが突出して形成されており、またこの脚部２ａまたは２ｂには、外部端子台に接続された外線ケーブルが挿通されるＵ字状の開口部３ａ，３ｂが形成されている。
【００１０】
ケース１の平板状をなす第１の取付部１ａには、外部端子台の端子ネジの数および位置に対応して例えば６個づつ二列に並んだ移動子４ａないし４ｆ，５ａないし５ｆが第１の取付部１ａを貫通するように移動自在に取り付けられている。なお、一方の列をなす複数個の移動子４ａないし４ｆを第１の移動子群とし、他方の列をなす複数個の移動子５ａないし５ｆを第２の移動子群とする。
【００１１】
第１および第２の移動子群の各移動子４ａないし４ｆ，５ａないし５ｆは、図２に示すようにそれぞれバネ６ａ，６ｂにより弾性的に支持されており、常時第２の取付部１ｂに向けて押圧されている。各移動子４ａないし４ｆ，５ａないし５ｆには、移動子４ａないし４ｆ，５ａないし５ｆがバネ６ａ，６ｂを圧縮する方向に移動した際に外部端子台の端子ネジに接触する第１の接触子７ａ，７ｂおよびケース１に設けられた接点８ａ，８ｂに接触する第２の接触子９ａ，９ｂがそれぞれ設けられている。
【００１２】
第１の接触子７ａおよび７ｂは、それぞれワニ口接触子で構成されており、外部端子台の端子ネジと接離することができるようになっている。また第２の接触子９ａ，９ｂはＪ字状に折り曲げられた板バネ状の導電材料から構成されており、接点８ａ，８ｂに接離できるようになっている。第１の接触子７ａ，７ｂと第２の接触子９ａ，９ｂは、移動子４ａ，５ａ内に配設されたＬＥＤ等の発光素子１０ａ，１０ｂを介して電気的に接続されており、発光素子１０ａ，１０ｂが点灯すると、透明または半透明材料により形成された移動子４ａないし４ｆ，５ａないし５ｆを透過して周辺を照らすようになっている。
【００１３】
ケース１に設けられた接点８ａ，８ｂのうち、第１の移動子群における各接点８ａは、図１に示すように隣合う二個一対を組としてそれぞれ配線１１を介して表示回路であるブザー回路１２および電源回路１３に直列に接続されている。また第２の移動子群における各接点８ｂは、配線１４により共通に接続されて短絡回路を構成している。これら配線１１，１４、ブザー回路１２および電源回路１３は、ケース１内に設けられている。
【００１４】
ケース１の第２の取付部１ｂには、第１および第２の移動子群の各移動子４ａないし４ｆ，５ａないし５ｆの数および位置に対応して複数個の操作ボタン１５ａないし１５ｆ、１６ａないし１６ｆが第２の取付部１ｂを貫通するようにネジ結合により取り付けられている。この各操作ボタン１５ａないし１５ｆ、１６ａないし１６ｆは、それぞれ螺合操作により進退させることができ、その進退操作により各移動子４ａないし４ｆ，５ａないし５ｆを進退させ、それぞれ第１および第２の接触子７ａ，９ａおよび７ｂ，９ｂを外部端子台の端子ネジおよび接点８ａ，８ｂに接離させることができるようになっている。
【００１５】
なお、一方の列をなす複数個の操作ボタン１５ａないし１５ｆを第１の操作ボタン群とし、他方の列をなす複数個の操作ボタン１６ａないし１６ｆを第２の操作ボタン群とする。
【００１６】
導電チェッカーＡと導電チェッカーＢは、第１および第２の移動子群および操作ボタン群をケース１の幅方向に対して対称位置となるように配置させ、外部端子台の外部端子側端子ネジに第２の操作ボタン群（短絡回路側の操作ボタン）１６ａないし１６ｆが位置するように構成しているが、部品や回路等の構成は同じである。
【００１７】
図３は上記のように構成された導電チェッカーを用いて配電盤の外部端子台に接続された外部ケーブルの接続状態を導電チェックする場合の状態を示した平面図である。図４は図３における導電チェックの接続状態を示す回路図である。図５は図３のＢ−Ｂ線に沿って断面し矢印の方向に見た断面図である。
【００１８】
図３ないし図５において、複数台の配電盤は、配電盤相互で信号の送受を行うために盤下部の外線配線用ピット（図示せず）内に敷設された外線ケーブル１７ａおよび１７ｂを盤下部の開口部近傍に設置された外部端子台１８および１９に接続して取り合いを行っている。
【００１９】
図３に示す接点２０ａは、一方の配電盤内部に設置され、その動作信号が外線ケーブル１７ａ，１７ｂを介して他方の配電盤内部の補助継電器２１ａで受信される場合を示している。この外線ケーブル１７ａ，１７ｂが間違いなく指定された外部端子台１８，１９の端子ネジに正常に接続されているか否かを確認するために各外部端子台１８，１９に導電チェッカーＡ，Ｂが取り付けられる。
【００２０】
外部端子台１８，１９は、中央部に端子番号表示板２２，２３が設けられており、端子番号表示板２２，２３の両側にそれぞれ６個の端子ネジ２５ａないし２５ｆ，２４ａないし２４ｆおよび２６ａないし２６ｆ，２７ａないし２７ｆが外部端子側および内部端子側として列をなして配設されている。また端子番号表示板２２，２３を挟んで位置する外部端子側と内部端子側の端子ネジ２５ａないし２５ｆと２４ａないし２４ｆおよび２６ａないし２６ｆと２７ａないし２７ｆは、それぞれ図５に示すように外部端子台１８，１９内部に設けた配線２８により電気的に接続されている。
【００２１】
外線ケーブル１７ａは、外部端子台１８の外部端子側端子ネジ２５ａと外部端子台１９の外部端子側端子ネジ２６ａに接続され、外線ケーブル１７ｂは、外部端子台１８の外部端子側端子ネジ２５ｂと外部端子台１９の外部端子側端子ネジ２６ｂに接続されている。
【００２２】
導電チェッカーＡ，Ｂがケース１の脚部２ａ，２ｂにより外部端子台１８，１９を挟むように取り付けられると、外部端子台１８，１９の各端子ネジ２４ａないし２４ｆ，２５ａないし２５ｆ，２６ａないし２６ｆ，２７ａないし２７ｆの上方に図１および２に示す各移動子４ａないし４ｆ，５ａないし５ｆが間隔を存して非接触の状態で位置し、各移動子４ａないし４ｆ，５ａないし５ｆの上方に操作ボタン１５ａないし１５ｆ，１６ａないし１６ｆが当接して位置することになる。
【００２３】
ここで、外線ケーブル１７ａ，１７ｂが接続されている外部端子台１８における表示板２２の端子番号１，２の外部端子側端子ネジ２５ａ，２５ｂおよび外部端子台１９における表示板２３の端子番号１，２の内部端子側端子ネジ２７ａ，２７ｂに対しては、図３に示すようにそれぞれの上方に位置する操作ボタン１６ａをねじ込んで図５に示すように移動子５ａを図示下方に移動させ、その第１の接触子７ｂを端子ネジ２５ａの上面に接触させるとともに第２の接触子９ｂを接点８ｂに接触させる。この場合、第１および第２の接触子７ｂ，９ｂは、同時に接触させるか、または第２の接触子９ｂを先に接触させるようにし、第１の接触子７ｂと端子ネジ２５ａ，２５ｂの接離にスイッチ機能を持たせないようにして端子ネジの損傷を少なくすることが望ましい。
【００２４】
これにより外部端子台１８における表示板２２の端子番号１，２の外部端子側端子ネジ２５ａ，２５ｂは、導電チェッカーＡにより、移動子５ａ，５ｂの第１および第２の接触子７ｂおよび９ｂ、接点８ｂおよび配線１４を介して接点短絡されることになる。また外部端子台１９における表示板２３の端子番号１，２の内部端子側端子ネジ２７ａ，２７ｂは、導電チェッカーＢにより、移動子４ａ，４ｂの第１および第２の接触子７ａおよび９ａ、接点８ａおよび配線１１を介してブザー回路１２および電源回路１３に直列に接続されることになる。
【００２５】
すなわち図４に示すように、導電チェッカーＡ，Ｂにより、外部端子台１８の接点短絡された外部端子側端子ネジ２５ａ，２５ｂから外線ケーブル１７ａ，１７ｂを介して外部端子台１９の内部端子側端子ネジ２７ａ，２７ｂ、ブザー回路１２および電源回路１３につながる通電回路が構成されることになる。その他の移動子における第１および第２の接触子は、端子ネジと接点に対して非接触の状態にある。
【００２６】
したがって外線ケーブル１７ａ，１７ｂが間違いなく指定された外部端子台１８，１９の端子ネジに正常に接続されている場合には、ブザー回路１２が作動して表示するので、配電盤間のインターフェースが正常であることを確認することができる。
【００２７】
また外線ケーブル１７ａ，１７ｂが正常に接続されている場合には、操作ボタンの近傍に設けられている発光素子１０ｂが点灯し、外部端子台１８，１９の端子番号表示板２２を照らすので、外線ケーブル１７ａ，１７ｂがいずれの端子番号の端子ネジに接続されているか、さらにはどの操作ボタンを操作したか等の確認も容易に行なうことができる。
【００２８】
なお、配電盤間の接点の送受が相互に入れ替わる場合もある。すなわち図３に点線で示すように、接点２０ｂが他方の配電盤内部に設けられ、外線ケーブル１７ｃ、１７ｄを介して一方の配電盤内部の補助継電器２１ｂで受信する場合である。この場合には、導電チェッカーＡ，Ｂを外部端子台１８，１９に取り付け、外線ケーブル１７ｃ，１７ｄが接続されている端子番号５，６に合わせて、外部端子台１９においては外部端子側端子ネジ２６ｅ，２６ｆに対応する操作ボタン１６ｅ，１６ｆをねじ込み操作し、外部端子台１８においては内部端子側端子ネジ２４ｅ，２４ｆに対応する操作ボタン１５ｅ，１５ｆをねじ込み操作して第１および第２の接触子を接続状態とすることにより、導電チェッカーＡ側でブザー音の確認をすることができる。
【００２９】
このようにすれば、外部端子台の外部端子側端子ネジにジャンパー線を接続したり、導電チェッカーのクリップを接続したりする作業が必要なくなり、しかも外線ケーブルが指定された端子番号の端子ネジに正常に接続されているか否かの確認も容易に行うことができ、作業性が向上するとともに誤接続等の人為的ミスを少なくすることができる。
【００３０】
なお、上記実施の形態では、導電チェッカーＡ，Ｂにおける第１および第２の操作ボタン群および移動子群を対称に配置して構成した場合について説明したが、導電チェッカーＡまたはＢのいずれか一方を２個用いて導電チェックすることもできる。この場合は一方の導電チェッカーにおける第２の操作ボタン群および移動子群（短絡回路側の操作ボタン群および移動子群）が外部端子台の内部端子側端子ネジ側に位置することになるが、内部端子側端子ネジと外部端子側端子ネジは、外部端子台内部で配線により接続されているので、短絡回路側の操作ボタンを操作することにより接点短絡を構成することができる。
【００３１】
また第１および第２の移動子群における各移動子に、端子ネジに接離する第１の接触子および接点に接離する第２の接触子を設けた場合について説明したが、図６に示すように操作ボタン１５ａのねじ込みによる移動子４ａの移動により接離する接触子は、端子ネジ２４ａに接離するワニ口接触子７ａのみとし、電源回路への配線１１に接続した移動子押圧用バネ６ａを介して電気的に接続したり、第２の接触子に代えて可撓導体により電気的に接続したりして、あらかじめ短絡回路または電源回路および表示回路に電気的に接続しておく構成とし、電源回路を含む回路にスイッチを設けて開閉するようにすることもできる。
【００３２】
さらに操作ボタンをケースの第２の取付部にネジ結合により取り付けて進退させる場合について説明したが、移動子を進退させることのできる構成であればよく、ネジ結合に代えてカムやレバー等の他の機構を用いて構成することもできる。
【００３３】
また発光素子は移動子に設ける場合に限らず、移動子近傍のケース側に設けることもできる。
【図面の簡単な説明】
【００３４】
【図１】（ａ）および（ｂ）は、本発明に係る導電チェッカーの一実施の形態を示す平面図であり、そのうち（ａ）は一方の外部端子台に取り付けられる導電チェッカーを示す平面図、（ｂ）は他方の外部端子台に取り付けられる導電チェッカーを示す平面図である。
【図２】図１（ａ）のＡ−Ａ線に沿って断面し矢印の方向に見た断面図である。
【図３】図１に示す導電チェッカーを用いて配電盤の外部端子台に接続された外部ケーブルの接続状態を導電チェックする場合の状態を示した平面図である。
【図４】図３における導電チェックの接続状態を示す回路図である。
【図５】図３のＢ−Ｂ線に沿って断面し矢印の方向に見た断面図である。
【図６】本発明の他の実施形態を示す部分断面図である。
【符号の説明】
【００３５】
Ａ，Ｂ…導電チェッカー
１…ケース
１ａ…第１の取付部
１ｂ…第２の取付部
２ａ，２ｂ…脚部
３ａ，３ｂ…開口部
４ａないし４ｆ，５ａないし５ｆ…移動子
６ａ，６ｂ…バネ
７ａ，７ｂ…第１の接触子
８ａ，８ｂ…接点
９ａ，９ｂ…第２の接触子
１０ａ，１０ｂ…発光素子
１１，１４…配線
１２…ブザー回路
１３…電源回路
１５ａないし１５ｆ、１６ａないし１６ｆ…操作ボタン
１７ａ，１７ｂ，１７ｃ，１７ｄ…外線ケーブル
１８，１９…外部端子台
２０ａ，２０ｂ…接点
２１ａ，２１ｂ…補助継電器
２２，２３…端子番号表示板
２４ａないし２４ｆおよび２７ａないし２７ｆ…内部端子側端子ネジ
２５ａないし２５ｆおよび２６ａないし２６ｆ…外部端子側端子ネジ
２８…配線
【図１】
2008145120.tif 000003
【図２】
2008145120.tif 000004
【図３】
2008145120.tif 000005
【図４】
2008145120.tif 000006
【図５】
2008145120.tif 000007
【図６】
2008145120.tif 000008